(57)【要約】【課題】粒に分離した各ニンニク２０の薄皮を、手の掌でもみしだくだけで簡単に除去することができて、製造も容易な皮むき器１０を提供すること。【解決手段】軟質合成樹脂またはゴムにより全体を袋状に形成するとともに、人の手でもみしだくことのできる大きさにしたニンニクの皮むき器１０であって、有底状の袋部１１と、この袋部１１の一部に開口されて、この中にニンニク２０を投入できるようにした投入口１２とを形成したこと。【選択図】図２
2004121575.tif 000002
【特許請求の範囲】
【請求項１】
軟質合成樹脂またはゴムにより全体を袋状に形成するとともに、人の手でもみしだくことのできる大きさにしたニンニクの皮むき器であって、
有底状の袋部と、この袋部の一部に開口されて、この中にニンニクを投入できるようにした投入口とを形成したことを特徴とするニンニクの皮むき器。
【請求項２】
前記袋部の少なくとも内面に複数の段部を形成したことを特徴とする請求項１に記載のニンニクの皮むき器。
【請求項３】
前記投入口は、粒のニンニクを一個づつ投入できる程度の大きさのものとしたことを特徴とする請求項１または請求項２に記載のニンニクの皮むき器。
【発明の詳細な説明】
【０００１】
【産業上の利用分野】
本発明は、ニンニクの皮むき器に関し、特に粒に分離されたニンニクの表面を覆っている「薄皮」を剥すための皮むき器に関するものである。
【０００２】
【従来の技術】
ニンニクは、一つの塊りから個別に取り外して粒にし、その一個一個を覆っている「薄皮」を剥がしてから、スライスしたりおろしたりして使用されるものである。つまり、ニンニクは、一つの塊りの段階と、個別の粒に分離されたときの両方の皮むきをしなければならないものであるが、粒に分離されたときの薄皮剥しは手間の掛る作業となっている。
【０００３】
特に、粒に分離されたニンニクの薄皮剥ぎは、刃物でするにしろ、素手でするにしろ、相手が「薄皮」であるため非常に困難であり、この作業に苦闘している間に、ニンニク独自の臭いが手にうつったり、ニンニクの一部が爪の間に入ってしまったりすることがある。また、指先の感覚が鈍くなったお年寄りにしてみると、このニンニクの皮むきの困難性は更に増大することになる。
【０００４】
このため、従来では、図４に示すようなゴム製のチューブからなる皮むき器が提案され、使用されてきている。この従来の皮むき器３０は、粒のニンニク２０が順に入れられる程度の大きさのチューブ３１の両側を切断しただけのものである。そして、このチューブ３１は、その両側の開口３２から粒のニンニク２０を中に入れて、そのまままな板上等に手の掌で押し付けながら転がすことにより、粒のニンニク２０の薄皮剥ぎに使用されるものである。
【０００５】
この図４に示した従来のチューブ３１は、上記のように使用することにより、ニンニク２０の皮むきを簡単に行えるものであるが、その作業中に、取れた薄皮やニンニク２０の一部が開口３２から飛び出してしまうという欠点がある。また内面が直線上で皮むきのための抵抗が少ないとも考えられ、短時間内に十分な皮むきが行えない場合があると思われる。それだけでなく、図４に示したような単なるチューブ状であるため、そのままでは何に使用するのか不明なものとなっている。
【０００６】
そこで、本発明者等は、もっと効率良くニンニク２０の皮むきが行えるようにするにはどうしたらよいか、について種々検討を重ねてきた結果、本発明を完成したのである。
【０００７】
【発明が解決しようとする課題】
本発明は、この種のニンニクの皮むき器についての上記実状に鑑みてなされたもので、その解決しようとする課題は、粒に分離したニンニク２０の薄皮を簡単に剥すことのできる器具を提供することにある。
【０００８】
すなわち、まず請求項１に係る発明の目的とするところは、粒に分離した各ニンニク２０の薄皮を、手の掌でもみしだくだけで簡単に除去することができて、製造も容易な皮むき器１０を提供することにある。
【０００９】
また、請求項２または請求項３に係る発明の目的とするところは、上記請求項１の発明と同様な目的を達成することができて、皮むき作業をより確実に行うことができ、または皮むき作業時にニンニク２０やその薄皮が飛び出さないにようにすることのできる皮むき器１０を提供することにある。
【００１０】
【課題を解決するための手段】
以上の課題を解決するために、まず請求項１に係る発明の採った手段は、後述する実施の形態の説明中において使用する符号を付して説明すると、
「軟質合成樹脂またはゴムにより全体を袋状に形成するとともに、人の手でもみしだくことのできる大きさにしたニンニクの皮むき器１０であって、
有底状の袋部１１と、この袋部１１の一部に開口されて、この中にニンニク２０を投入できるようにした投入口１２とを形成したことを特徴とするニンニクの皮むき器１０」
である。
【００１１】
すなわち、この請求項１に係る皮むき器１０は、まずその全体を軟質な合成樹脂またはゴムにより袋状のものに形成したものであり、これにより、図１及び図２に示すように、自然状態におけば、その本来の形状に復元するものとしてある。
【００１２】
この皮むき器１０は、上記のような軟質な合成樹脂またはゴムにより袋状に一体成形したものであるから、その有底状の袋部１１内に投入口１２から粒に分離したニンニク２０を投入できることは勿論、その袋部１１内にある程度の個数（粒のニンニク１個分程度）まで収納することができるものとなっている。この場合、全体が軟質な合成樹脂またはゴムにより形成してあるため、投入口１２が小さくても、これを広げれば粒に分離したニンニク２０の１個１個を簡単に袋部１１内に投入できるのである。
【００１３】
必要個数のニンニク２０を袋部１１内に投入した後は、図３にも示すように、当該皮むき器１０の全体を手の掌等でもみしだくのである。そうすると、各ニンニク２０の表面が袋部１１の内面や他のニンニク２０の表面に対して擦れ合うことになり、特に袋部１１の内面に擦れ合ったニンニク２０の表面の薄皮はその実から剥されることになるのである。以下の実施形態の皮むき器１０では、このもみしだき作業を数回程度行うだけで皮むきが略完了するものとなっている。
【００１４】
このもみしだき作業中においては、各ニンニク２０は袋部１１内にて転動するだけであり、投入口１２から飛び出すことはない。この投入口１２は、皮むき器１０全体をもみしだくことにより潰れた状態となっていて、各ニンニク２０より十分小さいものとなっているのである。また、このもみしだき作業を、投入口１２が下側となるようにして行った場合には、剥れた薄皮のみをこの投入口１２から外部に排出させることもできるものであり、投入口１２が上側となるようにして行えば、何も飛び出すことはない。
【００１５】
各ニンニク２０の皮むきが完全になったかどうかは、この皮むき器１０を自然状態に置いて投入口１２から中を覗けば、簡単に確認することができることは言うまでもない。皮むき器１０を自然状態におけば、投入口１２はその最大開口状態に戻るからである。皮むきが完全でない場合には、上記の作業を少し追加すればよい。
【００１６】
各ニンニク２０の皮むきが完全に行われていれば、各ニンニク２０を投入口１２から取り出せばよいが、袋部１１内に残った薄皮は、投入口１２を下方に向けて皮むき器１０全体を振ったり、袋部１１内に入れた水を排出させれば、簡単に取り出せる。
【００１７】
従って、この請求項１に係る皮むき器１０は、粒に分離した各ニンニク２０の皮むき及びその後の処理を簡単に行えるものとなっているのであり、しかも簡単な構造のものであるため、その軟質な合成樹脂やゴムによる製造も容易に行えるものとなっているのである。
【００１８】
また、上記課題を解決するために、請求項２に係る発明の採った手段は、上記請求項１の皮むき器１０については、
「袋部１１の少なくとも内面に複数の段部１３を形成したこと」
である。
【００１９】
すなわち、この請求項２に係る皮むき器１０では、特に図２に示すように、その袋部１１の少なくとも内側に、複数の段部１３を形成したものであり、後述の実施形態では、これらの段部１３によって、当該皮むき器１０全体の形状が１個のニンニク（各ニンニク２０を分離する前の塊り状態のニンニク）となるようにしたものである。
【００２０】
各段部１３が袋部１１の少なくとも内側に形成してあることにより、当該皮むき器１０に入れた各ニンニク２０をもみしだく際に、これらの段部１３が袋部１１内での抵抗となるのであり、各ニンニク２０の薄皮の剥がしがより容易かつ確実となるのである。つまり、各段部１３は、例えば「いも洗い」する際の棒や板のような働きをするのであり、薄皮剥ぎをより確実かつ短時間内に行えるようにしているのである。
【００２１】
また、各段部１３が図１にも示すように袋部１１の表面側にも現われるようなものであれば、皮むき器１０全体の復元力を強力なものとし得るのである。すなわち、もみしだいた後の皮むき器１０は、手を離せば元の形状に直ちに復帰するのであり、次のもみしだき作業の際に、各ニンニク２０が段部１３内に入り易くなって、皮はぎ作業を効果的に行えるようにするとともに、投入口１２からのでき上がり具合の確認も直ちに行えるのである。
【００２２】
従って、この請求項２に係る皮むき器１０は、上記請求項１のそれと同様の機能を発揮する他、各段部１３によって皮むき作業がより一層効果的に行えるものとなっているのである。
【００２３】
上記課題を解決するために、請求項３に係る発明の採った手段は、上記請求項１または請求項２に係る皮むき器１０について、
「投入口１２は、粒のニンニク２０を一個づつ投入できる程度の大きさのものとしたこと」
である。
【００２４】
すなわち、この請求項３の皮むき器１０は、その袋部１１の上端に形成した投入口１２を、バラした１個づつのニンニク２０について、その投入が十分行えて、もみしだき作業中にはニンニク２０やその皮が出ないようにできる程度の大きさを有したものとしたものである。
【００２５】
各ニンニク２０は、図２にも示すように、略三日月形状を有しているものであるから、これを投入口１２から入れる場合、自然と尖った部分から入れることになる。そして、この場合、ニンニク２０の胴回り部分が一番大きくなることになるから、この胴回り部分が入ればよい。また、当該皮むき器１０は軟質な合成樹脂やゴムによって形成したものであったから、投入口１２はある程度広がり得るものである。そこで、以下の実施形態では、各ニンニク２０の平均的な胴回り大きさを１としたとき、投入口１２の直径をその０．８〜１．２程度のものとしたものである。
【００２６】
投入口１２の開口面積を以上のようにしたことによって、各ニンニク２０の投入口１２からの投入が簡単に行えるだけでなく、袋部１１内に入れた各ニンニク２０のもみしだき作業時に、この投入口１２が上方に向けられているときに、この投入口１２からニンニク２０や皮が飛び出すことがなくなるのである。また、投入口１２が下方に向けられているときには、皮むき器１０のもみしだき作業時に、皮は排出されるがニンニク２０は排出されないということになる。
【００２７】
従って、この請求項３の皮むき器１０は、上記請求項１または２のそれと同様の機能を発揮する他、ニンニク２０の飛び出しを簡単に防止できて、皮むき作業をより一層効率的に行えるものとなっているのである。
【００２８】
【発明の実施の形態】
次に、以上のように構成した各請求項に係る発明を、図面に示した実施の形態である皮むき器１０について説明するが、この実施形態の皮むき器１０は、上記各請求項に係る発明の全てを実質的に内包するものである。
【００２９】
図１には、本発明に係る皮むき器１０の斜視図が示してあるが、この皮むき器１０は、図２にも示したように、少なくとも数個のニンニク２０を収納できる容積を有した有座状の袋部１１と、その上端に各ニンニク２０の胴回りの０．８〜１．２倍程度の開口面積を有した投入口１２とを有しているものであり、その全体を軟質な合成樹脂またはゴムを材料として一体成形したものである。本実施形態の場合、各部分の厚さが略均等になるように成形してあり、その平均厚さは約１ｍｍである。
【００３０】
また、本実施形態の皮むき器１０においては、図２に示したように、袋部１１の少なくとも内面に、縦方向の段部１３が複数形成してある。この段部１３は、袋部１１の外側から内側に向かう線状の凹みによって形成したものであり、隣接し合う段部１３間の寸法は、各ニンニク２０の胴回りの半分以上を包み込める程度のものとしてある。
【００３１】
つまり、各段部１３は、袋部１１内に突出するものとなっているのであり、隣接する段部１３間の寸法は、１個のニンニク２０が十分入り込む程度としてあるのであって、この皮むき器１０をもみしだいたときに、各ニンニク２０が段部１３の内端に当り、かつ隣接する段部１３間の袋部１１内面にも各ニンニク２０が確実に当接し得るようにしたものであり、皮むきを確実に行えるようにしているのである。
【００３２】
【発明の効果】
以上、詳述した通り、本発明においては、上記実施形態にて例示した如く、
「軟質合成樹脂またはゴムにより全体を袋状に形成するとともに、人の手でもみしだくことのできる大きさにしたニンニクの皮むき器１０であって、
有底状の袋部１１と、この袋部１１の一部に開口されて、この中にニンニク２０を投入できるようにした投入口１２とを形成したこと」
にその構成上の主たる特徴があり、これにより、粒に分離した各ニンニク２０の薄皮を、手の掌でもみしだくだけで簡単に除去することができて、製造も容易なものとし、そして皮むき作業をより確実に行うことができ、または皮むき作業時にニンニク２０やその薄皮が飛び出さないにようにすることができるのである。
【００３３】
また、袋部１１の少なくとも内面に複数の段部１３を形成することによって、皮むきをより確実に行える皮むき器１０とすることができるのであり、投入口１２の大きさを粒のニンニク２０１個が投入できる程度のものとしたことによって、もみしだき作業中にニンニク２０の飛び出しを防止することのできる皮むき器１０とすることができるのである。
【図面の簡単な説明】
【図１】本発明に係る皮むき器の斜視図である。
【図２】同皮むき器の縦断面図である。
【図３】同皮むき器によって皮むき作業を行っている様子を示す斜視図である。
【図４】従来の技術を示す斜視図である。
【符号の説明】
１０　皮むき器
１１　　袋部
１２　　投入口
１３　　段部
２０　　（粒の）ニンニク
３０　　チューブ
３１　　チューブ
３２　　開口
【図１】
2004121575.tif 000003
【図２】
2004121575.tif 000004
【図３】
2004121575.tif 000005
【図４】
2004121575.tif 000006